(57)【特許請求の範囲】
【請求項１】
列車を編成する車両内に設置される複数の表示端末の表示内容を個別に制御し、前記複数の表示端末に対応付けられて設置される複数の端末計算機と、
各車両に設置される無線ＬＡＮアクセスポイントと、
前記無線ＬＡＮアクセスポイントを介して、前記複数の表示端末に表示させる情報を配信すると共に、前記複数の端末計算機の動作を制御する動作制御装置と、を有する鉄道車両向け分散型計算機システムであって、
それぞれの前記端末計算機は、
自身の端末識別情報を前記無線ＬＡＮアクセスポイントに通知して、自身の動作を規定する動作パラメータを前記動作制御装置から前記無線ＬＡＮアクセスポイントを介して取得する動作パラメータ取得部と、
前記動作パラメータ取得部で取得した前記動作パラメータにしたがって動作することによって前記表示端末の表示内容を制御する表示制御部と、を有し、
前記無線ＬＡＮアクセスポイントは、
通信範囲を限定したアンテナを用いて、車両内の所定エリアに設置されている前記端末計算機と無線通信を確立し、無線通信が確立したアンテナの識別情報と端末計算機の識別情報との組合せ情報を取得する識別情報取得部と、
前記アンテナの識別情報と前記端末計算機の識別情報との組合せ情報と、自身の識別情報とを車両内位置情報として前記動作制御装置に通知する位置情報通知部と、を有し、
前記動作制御装置は、
自身が搭載されている列車を編成している車両の号車番号ごとに、当該車両に設置されている前記無線ＬＡＮアクセスポイントの識別情報と、前記アンテナの通信範囲が車両内のどの位置に該当するかのアンテナ通信範囲とを編成データとして記憶する編成データ記憶部と、
前記無線ＬＡＮアクセスポイントから通知される前記車両内位置情報に含まれる前記無線ＬＡＮアクセスポイントの識別情報からそれぞれの前記端末計算機の号車番号を特定し、前記車両内位置情報に含まれる前記アンテナの識別情報と前記端末計算機の識別情報との組合せ情報から前記編成データを参照することによって、当該端末計算機の車両内の設置位置を特定し、個々の設置位置に対応する前記動作パラメータを生成し、前記無線ＬＡＮアクセスポイントを介して、当該端末計算機に送信する端末計算機管理部と、を有することを特徴とする鉄道車両向け分散型計算機システム。
【請求項２】
請求項１に記載の鉄道車両向け分散型計算機システムにおいて、
前記無線ＬＡＮアクセスポイントは、さらに、
指向性と設置角度とを調整して、特定の位置に設置された前記端末計算機と無線通信を確立するように設計した複数の指向性アンテナと、
前記複数の指向性アンテナを前記動作制御装置から送信されるアンテナ制御情報に基づいて切り替える指向性アンテナ制御部と、を有し、
無線通信が確立したアンテナの識別情報と端末計算機の識別情報との組合せ情報から前記車両内における当該端末計算機の設置位置が特定されることを特徴とする鉄道車両向け分散型計算機システム。
【請求項３】
請求項１または２に記載の鉄道車両向け分散型計算機システムにおいて、
前記動作制御装置は、さらに、
それぞれの前記端末計算機に送信した前記動作パラメータに基づいて、当該端末計算機に対応付けられた表示端末に表示される情報を選択して、当該端末計算機に配信する配信制御部を有することを特徴とする鉄道車両向け分散型計算機システム。
【請求項４】
列車を編成する車両内に設置される複数の表示端末の表示内容を個別に制御し、前記複数の表示端末に対応付けられて設置される複数の端末計算機と、
各車両に設置される無線ＬＡＮアクセスポイントと、
前記無線ＬＡＮアクセスポイントを介して、前記複数の表示端末に表示させる情報を配信すると共に、前記複数の端末計算機の動作を制御する動作制御装置と、を有する鉄道車両向け分散型計算機システムの動作制御方法であって、
前記無線ＬＡＮアクセスポイントにおいて、通信範囲を限定したアンテナを用いて、車両内の所定エリアに設置されている前記端末計算機と無線通信を確立し、無線通信が確立したアンテナの識別情報と前記端末計算機の識別情報との組合せ情報を取得し、取得した前記アンテナの識別情報と前記端末計算機の識別情報との組合せ情報と、自身の識別情報とを車両内位置情報として前記動作制御装置に通知するステップと、
前記動作制御装置において、前記無線ＬＡＮアクセスポイントから通知される前記車両内位置情報に含まれる前記無線ＬＡＮアクセスポイントの識別情報からそれぞれの前記端末計算機の号車番号を特定し、前記車両内位置情報に含まれる前記アンテナの識別情報と前記端末計算機の識別情報との組合せ情報から、自身が搭載されている列車を編成している車両の号車番号ごとに前記無線ＬＡＮアクセスポイントの識別情報と前記アンテナの通信範囲とを記憶した編成データを参照することによって、当該端末計算機の車両内の設置位置を特定し、個々の設置位置に対応する前記動作パラメータを生成し、前記無線ＬＡＮアクセスポイントを介して、当該端末計算機に送信するステップと、
前記端末計算機において、自身の端末識別情報を前記無線ＬＡＮアクセスポイントに通知して、自身の動作を規定する動作パラメータを前記動作制御装置から前記無線ＬＡＮアクセスポイントを介して取得し、取得した前記動作パラメータにしたがって動作することによって前記表示端末の表示内容を制御するステップと、を有することを特徴とする鉄道車両向け分散型計算機システムの動作制御方法。
【請求項５】
請求項４に記載の鉄道車両向け分散型計算機システムの動作制御方法において、
前記無線ＬＡＮアクセスポイントにおいて、指向性と設置角度とを調整して、特定の位置に設置された前記端末計算機と無線通信を確立するように設計した複数の指向性アンテナを、前記動作制御装置から送信されるアンテナ制御情報に基づいて切り替えることを特徴とする鉄道車両向け分散型計算機システムの動作制御方法。
【請求項６】
請求項４または５に記載の鉄道車両向け分散型計算機システムの動作制御方法において、
前記動作制御装置において、それぞれの前記端末計算機に送信した前記動作パラメータに基づいて、当該端末計算機に対応付けられた表示端末に表示される情報を選択して、当該端末計算機に配信することを特徴とする鉄道車両向け分散型計算機システムの動作制御方法。
【請求項７】
列車を編成する車両内に設置される複数の表示端末の表示内容を個別に制御し、前記複数の表示端末に対応付けられて設置される複数の端末計算機と、
各車両に設置される無線ＬＡＮアクセスポイントと、
前記無線ＬＡＮアクセスポイントを介して、前記複数の表示端末に表示させる情報を配信すると共に、前記複数の端末計算機の動作を制御する動作制御装置と、を有する鉄道車両向け分散型計算機システムの前記無線ＬＡＮアクセスポイントであって、
指向性と設置角度とを調整して、特定の位置に設置された前記端末計算機と無線通信を確立するように設計した複数の指向性アンテナと、
前記複数の指向性アンテナを前記動作制御装置から送信されるアンテナ制御情報に基づいて切り替える指向性アンテナ制御部と、
前記指向性アンテナ制御部で切り替えた指向性アンテナを用いて、車両内の所定エリアに設置されている前記端末計算機と無線通信を確立し、無線通信が確立したアンテナの識別情報と端末計算機の識別情報との組合せ情報を取得する識別情報取得部と、
前記アンテナの識別情報と前記端末計算機の識別情報との組合せ情報と、自身の識別情報とを車両内位置情報として前記動作制御装置に通知する位置情報通知部と、を有することを特徴とする無線ＬＡＮアクセスポイント。
【発明の詳細な説明】
【技術分野】
【０００１】
本発明は、鉄道車両のドア近傍に設けられた複数の表示端末に情報を表示する、鉄道情報サービス提供システムに好適な鉄道車両向け分散型計算機システムに関する。
【背景技術】
【０００２】
鉄道などの乗客向け情報サービスとして、車両内の各所にＬＥＤ（Light Emitting Diode）ディスプレイや液晶ディスプレイなどの表示端末を設置し、各種案内、ニュース、広告映像などを乗客に提供するシステムが実用化されている。また、乗客の満足度を高めるべく、各表示端末への表示内容は一律ではなく、その設置位置に適した内容を選択して表示する等の技術が導入されている（例えば特許文献１）。
【先行技術文献】
【特許文献】
【０００３】
【特許文献１】特開２００３−９５１０５号公報
【発明の概要】
【発明が解決しようとする課題】
【０００４】
ところで、上述したような鉄道などの乗客向け情報サービスを提供するシステムにおいては、各表示端末への表示内容として、その設置位置に適した内容を選択して表示する制御を行うためには、それぞれの表示端末を制御する端末計算機に、表示端末の設置位置に応じた表示内容を出力するように動作パラメータを設定する必要があり、この動作パラメータの設定作業を効率的に実施する技術が重要となる。
【０００５】
そのような技術として、例えば、本発明者らが以前に出願した特願２０１０−２２５６９６号の技術がある。この技術には、「各車両に設置される無線ＬＡＮアクセスポイントを介して動作制御装置に無線で接続されるそれぞれの端末計算機は、自身の車両内における設置位置を特定し、特定した設置位置を動作制御装置に通知して自身の動作パラメータを取得して動作することで表示制御を行う。一方、動作制御装置は、端末計算機の配置パターンを含む列車の編成データに基づいてそれぞれの設置位置に対応する動作パラメータを生成し、端末計算機からの通知を中継した無線ＬＡＮアクセスポイントを識別して車両の号車番号を特定し、通知された設置位置に対応する動作パラメータを当該端末計算機に送信する。」技術が記載されている。
【０００６】
しかし、上述した特願２０１０−２２５６９６号の技術を適用するためには、以下のような改善点があることが分かった。例えば、動作パラメータ設定の際、車両内の設置位置を記録した位置識別媒体を表示端末、端末計算機とは別に車両に設置する必要があり、設置作業時には複数の設置位置に対し、当該の位置識別媒体を間違えなく設置しなければならず、表示端末の艤装作業の工数が増加する。また仮に、位置識別媒体の設置場所を間違った場合、表示端末の画面に別の位置で表示すべき間違った映像が表示されるが、このシステムではその映像が正しいかどうかを診断することができず、正しいかどうかを診断するためには実際に表示されている内容と設置位置を目視などで確認して、診断する必要がある。
【０００７】
さらに、車両内の金属で密閉された筐体の中で、かつ近接して多数の表示端末と無線ＬＡＮアクセスポイントが設置され、その間で無線通信が行われるため、各機器同士で電波干渉が起こりやすく、通信のスループットの低下につながる。
【０００８】
そこで、本発明は上述した改善点に鑑みてなされたものであり、その代表的な目的は、位置識別媒体が不要であり、通信のスループットを向上させることができ、かつ、各端末計算機にそれぞれの設置位置に応じた表示制御動作を独立して実行させることができる鉄道車両向け分散型計算機システムを提供することにある。
【０００９】
本発明の前記ならびにその他の目的と新規な特徴は、本明細書の記述および添付図面から明らかになるであろう。
【課題を解決するための手段】
【００１０】
本願において開示される発明のうち、代表的なものの概要を簡単に説明すれば、次のとおりである。
【００１１】
すなわち、代表的なものの概要は、鉄道車両向け分散型計算機システム、鉄道車両向け分散型計算機システムの動作制御方法、無線ＬＡＮアクセスポイントに適用され、以下のような特徴を有するものである。
【００１２】
（１）鉄道車両向け分散型計算機システムは、列車を編成する車両内に設置される複数の表示端末の表示内容を個別に制御し、前記複数の表示端末に対応付けられて設置される複数の端末計算機と、各車両に設置される無線ＬＡＮアクセスポイントと、前記無線ＬＡＮアクセスポイントを介して、前記複数の表示端末に表示させる情報を配信すると共に、前記複数の端末計算機の動作を制御する動作制御装置と、を有する鉄道車両向け分散型計算機システムである。
【００１３】
それぞれの前記端末計算機は、自身の端末識別情報を前記無線ＬＡＮアクセスポイントに通知して、自身の動作を規定する動作パラメータを前記動作制御装置から前記無線ＬＡＮアクセスポイントを介して取得する動作パラメータ取得部と、前記動作パラメータ取得部で取得した前記動作パラメータにしたがって動作することによって前記表示端末の表示内容を制御する表示制御部と、を有する。
【００１４】
前記無線ＬＡＮアクセスポイントは、通信範囲を限定したアンテナを用いて、車両内の所定エリアに設置されている前記端末計算機と無線通信を確立し、無線通信が確立したアンテナの識別情報と端末計算機の識別情報との組合せ情報を取得する識別情報取得部と、前記アンテナの識別情報と前記端末計算機の識別情報との組合せ情報と、自身の識別情報とを車両内位置情報として前記動作制御装置に通知する位置情報通知部と、を有する。
【００１５】
前記動作制御装置は、自身が搭載されている列車を編成している車両の号車番号ごとに、当該車両に設置されている前記無線ＬＡＮアクセスポイントの識別情報と、前記アンテナの通信範囲が車両内のどの位置に該当するかのアンテナ通信範囲とを編成データとして記憶する編成データ記憶部と、前記無線ＬＡＮアクセスポイントから通知される前記車両内位置情報に含まれる前記無線ＬＡＮアクセスポイントの識別情報からそれぞれの前記端末計算機の号車番号を特定し、前記車両内位置情報に含まれる前記アンテナの識別情報と前記端末計算機の識別情報との組合せ情報から前記編成データを参照することによって、当該端末計算機の車両内の設置位置を特定し、個々の設置位置に対応する前記動作パラメータを生成し、前記無線ＬＡＮアクセスポイントを介して、当該端末計算機に送信する端末計算機管理部と、を有する。
【００１６】
（２）鉄道車両向け分散型計算機システムの動作制御方法は、列車を編成する車両内に設置される複数の表示端末の表示内容を個別に制御し、前記複数の表示端末に対応付けられて設置される複数の端末計算機と、各車両に設置される無線ＬＡＮアクセスポイントと、前記無線ＬＡＮアクセスポイントを介して、前記複数の表示端末に表示させる情報を配信すると共に、前記複数の端末計算機の動作を制御する動作制御装置と、を有する鉄道車両向け分散型計算機システムの動作制御方法である。
【００１７】
前記無線ＬＡＮアクセスポイントにおいて、通信範囲を限定したアンテナを用いて、車両内の所定エリアに設置されている前記端末計算機と無線通信を確立し、無線通信が確立したアンテナの識別情報と前記端末計算機の識別情報との組合せ情報を取得し、取得した前記アンテナの識別情報と前記端末計算機の識別情報との組合せ情報と、自身の識別情報とを車両内位置情報として前記動作制御装置に通知するステップを有する。
【００１８】
前記動作制御装置において、前記無線ＬＡＮアクセスポイントから通知される前記車両内位置情報に含まれる前記無線ＬＡＮアクセスポイントの識別情報からそれぞれの前記端末計算機の号車番号を特定し、前記車両内位置情報に含まれる前記アンテナの識別情報と前記端末計算機の識別情報との組合せ情報から、自身が搭載されている列車を編成している車両の号車番号ごとに前記無線ＬＡＮアクセスポイントの識別情報と前記アンテナの通信範囲とを記憶した編成データを参照することによって、当該端末計算機の車両内の設置位置を特定し、個々の設置位置に対応する前記動作パラメータを生成し、前記無線ＬＡＮアクセスポイントを介して、当該端末計算機に送信するステップを有する。
【００１９】
前記端末計算機において、自身の端末識別情報を前記無線ＬＡＮアクセスポイントに通知して、自身の動作を規定する動作パラメータを前記動作制御装置から前記無線ＬＡＮアクセスポイントを介して取得し、取得した前記動作パラメータにしたがって動作することによって前記表示端末の表示内容を制御するステップを有する。
【００２０】
（３）無線ＬＡＮアクセスポイントは、列車を編成する車両内に設置される複数の表示端末の表示内容を個別に制御し、前記複数の表示端末に対応付けられて設置される複数の端末計算機と、各車両に設置される無線ＬＡＮアクセスポイントと、前記無線ＬＡＮアクセスポイントを介して、前記複数の表示端末に表示させる情報を配信すると共に、前記複数の端末計算機の動作を制御する動作制御装置と、を有する鉄道車両向け分散型計算機システムの前記無線ＬＡＮアクセスポイントである。
【００２１】
前記無線ＬＡＮアクセスポイントは、指向性と設置角度とを調整して、特定の位置に設置された前記端末計算機と無線通信を確立するように設計した複数の指向性アンテナと、前記複数の指向性アンテナを前記動作制御装置から送信されるアンテナ制御情報に基づいて切り替える指向性アンテナ制御部と、前記指向性アンテナ制御部で切り替えた指向性アンテナを用いて、車両内の所定エリアに設置されている前記端末計算機と無線通信を確立し、無線通信が確立したアンテナの識別情報と端末計算機の識別情報との組合せ情報を取得する識別情報取得部と、前記アンテナの識別情報と前記端末計算機の識別情報との組合せ情報と、自身の識別情報とを車両内位置情報として前記動作制御装置に通知する位置情報通知部と、を有する。
【発明の効果】
【００２２】
本願において開示される発明のうち、代表的なものによって得られる効果を簡単に説明すれば以下のとおりである。
【００２３】
すなわち、代表的なものによって得られる効果は、位置識別媒体が不要であり、通信のスループットを向上させることができ、かつ、各端末計算機にそれぞれの設置位置に応じた表示制御動作を独立して実行させることができる鉄道車両向け分散型計算機システムを提供することができる。
【図面の簡単な説明】
【００２４】
【図１】本発明の一実施形態に係る鉄道車両向け分散型計算機システムの構成例を示す図である。
【図２】本発明の一実施形態に係る鉄道車両向け分散型計算機システムにおいて、車両に搭載される装置の構成とその接続及び配置例とを示す図である。
【図３】本発明の一実施形態に係る鉄道車両向け分散型計算機システムにおいて、（ａ），（ｂ）は進行方向左側と右側とで表示内容が異なる案内画面の表示例を示す図である。
【図４】本発明の一実施形態に係る鉄道車両向け分散型計算機システムにおいて、端末計算機の構成例を示す機能ブロック図である。
【図５】本発明の一実施形態に係る鉄道車両向け分散型計算機システムにおいて、無線ＬＡＮアクセスポイントの構成例を示す機能ブロック図である。
【図６】本発明の一実施形態に係る鉄道車両向け分散型計算機システムにおいて、無線ＬＡＮアクセスポイントの指向性アンテナの配置と特性を示す図である。
【図７】本発明の一実施形態に係る鉄道車両向け分散型計算機システムにおいて、情報サービス管理装置の構成例を示す機能ブロック図である。
【図８】本発明の一実施形態に係る鉄道車両向け分散型計算機システムにおいて、端末計算機がＩＰアドレスを取得するまでの動作の流れを示すシーケンス図である。
【図９】本発明の一実施形態に係る鉄道車両向け分散型計算機システムにおいて、端末計算機が動作パラメータを取得して表示制御を行う動作の流れを示すシーケンス図である。
【図１０】本発明の一実施形態に係る鉄道車両向け分散型計算機システムにおいて、編成データテーブルの構成及びデータ例を示す図である。
【図１１】本発明の一実施形態に係る鉄道車両向け分散型計算機システムにおいて、アンテナ配置パターン定義テーブルの構成及びデータ例を示す図である。
【図１２】本発明の一実施形態に係る鉄道車両向け分散型計算機システムにおいて、端末計算機を管理するＰＣ管理テーブルの初期状態のデータ例を示す図である。
【図１３】本発明の一実施形態に係る鉄道車両向け分散型計算機システムにおいて、ＰＣ管理テーブルの構成及び端末計算機が登録された後のデータ例を示す図である。
【発明を実施するための形態】
【００２５】
以下の実施形態においては、便宜上その必要があるときは、複数の実施形態またはセクションに分割して説明するが、特に明示した場合を除き、それらは互いに無関係なものではなく、一方は他方の一部または全部の変形例、詳細、補足説明等の関係にある。また、以下の実施形態において、要素の数等（個数、数値、量、範囲等を含む）に言及する場合、特に明示した場合および原理的に明らかに特定の数に限定される場合等を除き、その特定の数に限定されるものではなく、特定の数以上でも以下でも良い。
【００２６】
さらに、以下の実施形態において、その構成要素（要素ステップ等も含む）は、特に明示した場合および原理的に明らかに必須であると考えられる場合等を除き、必ずしも必須のものではないことは言うまでもない。同様に、以下の実施形態において、構成要素等の形状、位置関係等に言及するときは、特に明示した場合および原理的に明らかにそうでないと考えられる場合等を除き、実質的にその形状等に近似または類似するもの等を含むものとする。このことは、上記数値および範囲についても同様である。
【００２７】
［本発明の実施形態の概要］
（１）本発明の実施形態に係る鉄道車両向け分散型計算機システム（一例として、（）内に対応する構成要素などを付記）は、列車を編成する車両内に設置される複数の表示端末（表示端末４０）の表示内容を個別に制御し、前記複数の表示端末に対応付けられて設置される複数の端末計算機（端末計算機４）と、各車両に設置される無線ＬＡＮアクセスポイント（無線ＬＡＮアクセスポイント３）と、前記無線ＬＡＮアクセスポイントを介して、前記複数の表示端末に表示させる情報を配信すると共に、前記複数の端末計算機の動作を制御する動作制御装置（情報サービス管理装置２）と、を有する鉄道車両向け分散型計算機システム（分散型計算機システム１０）である。
【００２８】
それぞれの前記端末計算機は、自身の端末識別情報を前記無線ＬＡＮアクセスポイントに通知して、自身の動作を規定する動作パラメータを前記動作制御装置から前記無線ＬＡＮアクセスポイントを介して取得する動作パラメータ取得部（動作パラメータ取得部４４）と、前記動作パラメータ取得部で取得した前記動作パラメータにしたがって動作することによって前記表示端末の表示内容を制御する表示制御部（端末表示制御部４５）と、を有する。
【００２９】
前記無線ＬＡＮアクセスポイントは、通信範囲を限定したアンテナを用いて、車両内の所定エリアに設置されている前記端末計算機と無線通信を確立し、無線通信が確立したアンテナの識別情報と端末計算機の識別情報との組合せ情報を取得する識別情報取得部（アンテナＩＤ取得部３３）と、前記アンテナの識別情報と前記端末計算機の識別情報との組合せ情報と、自身の識別情報とを車両内位置情報として前記動作制御装置に通知する位置情報通知部（ＤＨＣＰサーバ兼情報サービス管理装置交信部３４）と、を有する。
【００３０】
前記動作制御装置は、自身が搭載されている列車を編成している車両の号車番号ごとに、当該車両に設置されている前記無線ＬＡＮアクセスポイントの識別情報と、前記アンテナの通信範囲が車両内のどの位置に該当するかのアンテナ通信範囲とを編成データとして記憶する編成データ記憶部（編成データ記憶部８１）と、前記無線ＬＡＮアクセスポイントから通知される前記車両内位置情報に含まれる前記無線ＬＡＮアクセスポイントの識別情報からそれぞれの前記端末計算機の号車番号を特定し、前記車両内位置情報に含まれる前記アンテナの識別情報と前記端末計算機の識別情報との組合せ情報から前記編成データを参照することによって、当該端末計算機の車両内の設置位置を特定し、個々の設置位置に対応する前記動作パラメータを生成し、前記無線ＬＡＮアクセスポイントを介して、当該端末計算機に送信する端末計算機管理部（ＰＣ管理部２４）と、を有する。
【００３１】
（２）本発明の実施形態に係る鉄道車両向け分散型計算機システムの動作制御方法（一例として、（）内に対応するステップなどを付記）は、列車を編成する車両内に設置される複数の表示端末の表示内容を個別に制御し、前記複数の表示端末に対応付けられて設置される複数の端末計算機と、各車両に設置される無線ＬＡＮアクセスポイントと、前記無線ＬＡＮアクセスポイントを介して、前記複数の表示端末に表示させる情報を配信すると共に、前記複数の端末計算機の動作を制御する動作制御装置と、を有する鉄道車両向け分散型計算機システムの動作制御方法である。
【００３２】
前記無線ＬＡＮアクセスポイントにおいて、通信範囲を限定したアンテナを用いて、車両内の所定エリアに設置されている前記端末計算機と無線通信を確立し、無線通信が確立したアンテナの識別情報と前記端末計算機の識別情報との組合せ情報を取得し、取得した前記アンテナの識別情報と前記端末計算機の識別情報との組合せ情報と、自身の識別情報とを車両内位置情報として前記動作制御装置に通知するステップ（ステップＳ３２１，Ｓ３２２）を有する。
【００３３】
前記動作制御装置において、前記無線ＬＡＮアクセスポイントから通知される前記車両内位置情報に含まれる前記無線ＬＡＮアクセスポイントの識別情報からそれぞれの前記端末計算機の号車番号を特定し、前記車両内位置情報に含まれる前記アンテナの識別情報と前記端末計算機の識別情報との組合せ情報から、自身が搭載されている列車を編成している車両の号車番号ごとに前記無線ＬＡＮアクセスポイントの識別情報と前記アンテナの通信範囲とを記憶した編成データを参照することによって、当該端末計算機の車両内の設置位置を特定し、個々の設置位置に対応する前記動作パラメータを生成し、前記無線ＬＡＮアクセスポイントを介して、当該端末計算機に送信するステップ（ステップＳ２２１，Ｓ２２２）を有する。
【００３４】
前記端末計算機において、自身の端末識別情報を前記無線ＬＡＮアクセスポイントに通知して、自身の動作を規定する動作パラメータを前記動作制御装置から前記無線ＬＡＮアクセスポイントを介して取得し、取得した前記動作パラメータにしたがって動作することによって前記表示端末の表示内容を制御するステップ（ステップＳ４２２，Ｓ４２３，Ｓ４２４）を有する。
【００３５】
（３）本発明の実施形態に係る無線ＬＡＮアクセスポイント（一例として、（）内に対応する構成要素などを付記）は、列車を編成する車両内に設置される複数の表示端末の表示内容を個別に制御し、前記複数の表示端末に対応付けられて設置される複数の端末計算機と、各車両に設置される無線ＬＡＮアクセスポイントと、前記無線ＬＡＮアクセスポイントを介して、前記複数の表示端末に表示させる情報を配信すると共に、前記複数の端末計算機の動作を制御する動作制御装置と、を有する鉄道車両向け分散型計算機システムの前記無線ＬＡＮアクセスポイントである。
【００３６】
前記無線ＬＡＮアクセスポイントは、指向性と設置角度とを調整して、特定の位置に設置された前記端末計算機と無線通信を確立するように設計した複数の指向性アンテナ（指向性アンテナ３５）と、前記複数の指向性アンテナを前記動作制御装置から送信されるアンテナ制御情報に基づいて切り替える指向性アンテナ制御部（指向性アンテナ制御部３１）と、前記指向性アンテナ制御部で切り替えた指向性アンテナを用いて、車両内の所定エリアに設置されている前記端末計算機と無線通信を確立し、無線通信が確立したアンテナの識別情報と端末計算機の識別情報との組合せ情報を取得する識別情報取得部（アンテナＩＤ取得部３３）と、前記アンテナの識別情報と前記端末計算機の識別情報との組合せ情報と、自身の識別情報とを車両内位置情報として前記動作制御装置に通知する位置情報通知部（ＤＨＣＰサーバ兼情報サービス管理装置交信部３４）と、を有する。
【００３７】
上述した本発明の実施形態の概要に基づいた本発明の一実施形態を、以下において図面に基づいて詳細に説明する。なお、実施形態を説明するための全図において、同一の部材には原則として同一の符号を付し、その繰り返しの説明は省略する。
【００３８】
［本発明の一実施形態］
本発明の一実施形態に係る鉄道車両向け分散型計算機システムを、図１〜図１３を参照して説明する。
【００３９】
＜鉄道車両向け分散型計算機システムの構成例＞
図１は、本発明の一実施形態に係る鉄道車両向け分散型計算機システムの構成例を示す図である。図１には、１号車からｎ号車までのｎ両（ｎは１以上の任意の整数）の車両が連結されて編成される列車に搭載された分散型計算機システム１０の構成例を示している。
【００４０】
図１において、破線の枠は列車を編成する車両を表しており、各車両には、それぞれ、無線ＬＡＮアクセスポイント（以下、ＡＰ（Access Point）と略記）３と、複数の端末計算機（以下、ＰＣ（Personal Computer）と略記）４とが備えられ、この両者の間の通信は無線によって行われる。
【００４１】
それぞれのＰＣ４は、車両内のドア上部などに設置されるＬＥＤディスプレイや液晶ディスプレイなどの表示端末４０（図４に図示）に近接する壁面などに埋め込まれ、この例では、各表示端末（の設置場所）４０と１対１に対応付けられてその表示内容を個別に制御する計算機である。これらすべてのＰＣ４は、自身に接続されている表示端末４０に情報サービス用の各種画面を表示させるという同一の機能を有する。ただし、表示端末４０の仕様や設置位置などに応じて表示内容を変えることができるように、それぞれのＰＣ４は、自身に接続されている表示端末４０の設置位置に対応して情報サービス管理装置２から配信される所定の動作パラメータによって、各種の表示制御動作を実行できるようにプログラム制御される。これにより、例えば、進行方向右側と左側とで異なる情報を表示させたり、停車駅の階段やエレベータなどの位置を示す案内図を車両毎に変えたり、車両内の位置によって放映する広告映像を変えたりするなどの、きめ細かな表示制御が可能となる。
【００４２】
１つの車両に設置される表示端末４０の数（＝ＰＣ４の数）は任意であるが、通常は２台（車両の前後両端に設置）から２４台の間であることが多く、同じ数の表示端末４０が設置された車両だけで編成される列車もあるし、異なる数の表示端末４０が設置された車両を任意に組み合わせて編成される列車もある。図１の例では、１号車にＰＣ＃１−１〜ＰＣ＃１−８の計８台、２号車にＰＣ＃２−１〜ＰＣ＃２−２４の計２４台のＰＣ４が設置されている。なお、ＰＣ＃ｊ−ｋなる標記は、ｊ号車のｋ番目のＰＣ４を表すものとする。
【００４３】
図１に示すように、分散型計算機システム１０には、各ＰＣ４にＩＰ（Internet Protocol）通信に必要となるＩＰアドレスなどを割り当てるＤＨＣＰ（Dynamic Host Configuration Protocol）サーバ１と、各ＰＣ４にその動作を規定する動作パラメータ並びに情報サービスの提供に必要な各種の情報を配信する情報サービス管理装置２と、車両間を接続するＬＡＮ（Local Area Network）５とが備えられる。また、ＤＨＣＰサーバ１と情報サービス管理装置２と各車両に備えられるＡＰ３とが、ＬＡＮ５を介して相互に通信可能に接続されることで、ＰＣ４を含めた無線ＬＡＮシステムが構築される。このＬＡＮ５には、通常はバス型もしくはループ型などの有線ＬＡＮを用いるが、ＰＣ４を接続する無線ＬＡＮとは使用する周波数帯域が異なる別方式の無線ＬＡＮを用いてもよい。なお、ＤＨＣＰサーバ１は情報サービス管理装置２のなかに実装するようにしてもよい。
【００４４】
また、情報サービス管理装置２へは、不図示の列車無線通信手段によって、情報配信センタ７０から情報サービスの提供に必要な列車の編成データ、運行管理データ、コンテンツの表示スケジュールなどの各種情報が送信される。
【００４５】
＜車両に搭載される装置の構成とその接続及び配置例＞
図２は、車両に搭載される装置の構成とその接続及び配置例とを示す図である。図２の例は、１号車である車両９に、ＤＨＣＰサーバ１と情報サービス管理装置２とを搭載すると共に、計８台の不図示の表示端末４０とその制御を行うＰＣ４（ＰＣ＃１−１〜ＰＣ＃１−８）と車両中央にＡＰ３とを設置した場合を示している。なお、ＤＨＣＰサーバ１と情報サービス管理装置２とは、他の任意の車両９に搭載してもよいし、両者を別々の車両９に搭載してもよい。
【００４６】
また、図２の太線にて示すように、同一の列車内に設置される各ＰＣ４と情報サービス管理装置２とを含む各装置は、大もとの電源を共有し同じタイミングで供給電力のオン／オフが行われる各車両９の電源６に接続され、この例では、電源ライン７によりほぼすべて同じタイミングで電源のオン／オフが行われるものとする。また、２つの車両９同士が連結されるときには、電源ライン７及びＬＡＮ５も相互に接続されるものとする。
【００４７】
＜端末計算機が行う表示制御の動作の概要＞
ここで、ＰＣ４が行う表示制御の動作の概要を説明する。図３は、列車の運行時に車両内の情報サービス用の表示端末４０に表示される、進行方向左側と右側とで表示内容が異なる案内画面の表示例である。これらは、いずれも列車が次の停車駅に近づいたときに表示される案内画面であり、図３（ａ）は、ドアが開く側の表示端末４０に表示される画面の例、図３（ｂ）は、その反対側の表示端末４０に表示される画面の例である。
【００４８】
図３に示すように、運行ガイド表示部６１ａ，６１ｂには、次の停車駅の名前６５ａ，６５ｂを案内するメッセージ、当該表示端末４０が設置されている自車両の号車番号６６ａ、６６ｂ、及び開くドアの方向６７ａ，６７ｂを案内するメッセージなどが表示される。テロップ表示部６２ａ，６２ｂには、列車の運行に伴う案内メッセージなどのほか、ニュースなどのテキストメッセージが次々に右から左方向に移動するように表示される。また、ホーム案内図表示部６３ａ，６３ｂには、次の停車駅のホームにある各種設備の位置を示す案内図が表示され、車両位置表示部６４ａ，６４ｂには、当該表示端末４０が設置されている自車両の位置が識別可能に図形表示される。
【００４９】
図３（ａ）と図３（ｂ）とを比較して分かるように、同じ列車の同じ車両に設置される表示端末４０であっても、進行方向左側と右側とでは、画面の構成、表示するメッセージ、案内図などが異なる場合がある。また、同じ列車の同じ進行方向左（右）側に設置される表示端末４０であっても、自車両の位置によって、表示すべき号車番号や図形などが異なる場合がある。
【００５０】
さらには、同じ車両の同じ進行方向左（右）側に設置される表示端末４０であっても、車両内における設置位置によって流すメッセージや広告の内容を変えたい場合もある。そこで、それぞれの表示端末４０の表示制御を司る各ＰＣ４を、当該表示端末４０の設置位置に応じて情報サービス管理装置２から配信される動作パラメータに基づいて、各種の表示パターンを切り換えて動作させるようにプログラム制御する。これにより、同一のＰＣ４であっても、それが制御する表示端末４０の設置位置に応じて、動的に動作を切り換えることが可能となり、表示端末４０の設置位置に応じたきめ細かい表示制御を行うことができる。
【００５１】
＜端末計算機の構成と機能＞
続いて、それぞれの端末計算機（ＰＣ）４の構成と機能とについて説明する。図４は、端末計算機（ＰＣ）４の構成例を示す機能ブロック図である。各ＰＣ４は、ＰＣ識別名及びＭＡＣ（Media Access Control）アドレスなどの固有情報を除いて、すべて同一の構成を有する。
【００５２】
図４に示すように、ＰＣ４は、電源投入検知部４１、ＭＡＣアドレス取得部４２、ＩＰアドレス取得部４３、動作パラメータ取得部４４、端末表示制御部４５、無線ＬＡＮ送受信部４６、及び表示コンテンツ更新部４７の各処理部と、動作パラメータ記憶部４８及び表示コンテンツ記憶部４９の各記憶部とを備える。
【００５３】
電源投入検知部４１は、ＰＣ４の電源が投入されたことを検知して、ＭＡＣアドレス取得部４２を起動する。ＭＡＣアドレス取得部４２は、ＰＣ４に搭載されている不図示の無線ＬＡＮカードに付された固有の識別番号であるＭＡＣアドレスを当該無線ＬＡＮカードから読み取り、読み取ったＭＡＣアドレスをＩＰアドレス取得部４３に引き渡す。ＩＰアドレス取得部４３は、ＤＨＣＰサーバ１にＭＡＣアドレス取得部４２から引き渡されたＭＡＣアドレスを通知してＩＰアドレスを取得するように無線ＬＡＮ送受信部４６に指示し、無線ＬＡＮ送受信部４６から引き渡されたＩＰアドレスを動作パラメータ取得部４４に引き渡す。
【００５４】
動作パラメータ取得部４４は、情報サービス管理装置２にＩＰアドレス取得部４３から引き渡されたＩＰアドレスを通知して動作パラメータを取得するように無線ＬＡＮ送受信部４６に指示し、無線ＬＡＮ送受信部４６から引き渡された動作パラメータを動作パラメータ記憶部４８に記憶させる。
【００５５】
端末表示制御部４５は、動作パラメータ記憶部４８に記憶された動作パラメータにしたがって表示端末４０に表示させる画面の表示データを生成し、生成した表示データを表示端末４０に送信する。また、端末表示制御部４５は、情報サービス管理装置２から送信される次駅案内指示などの表示制御情報にしたがって画面の構成や表示内容を切り換えたり、表示コンテンツ記憶部４９に記憶された表示スケジュールにしたがって表示コンテンツ記憶部４９に記憶された各種の表示コンテンツを表示端末４０に表示させたりする。
【００５６】
表示コンテンツ更新部４７は、無線ＬＡＮ送受信部４６を介して情報サービス管理装置２から送信される表示スケジュールや追加及び更新用の表示コンテンツを受信し、受信した表示スケジュールや表示コンテンツを表示コンテンツ記憶部４９に記憶させる。
【００５７】
無線ＬＡＮ送受信部４６は、不図示の無線ＬＡＮカード及び不図示の無指向性アンテナを介してＡＰ３と無線で交信することにより、ＰＣ４とＤＨＣＰサーバ１及び情報サービス管理装置２との間の無線の通信リンクを確立し、ＩＰ通信によって情報サービス管理装置２と各種データの送受信を行う。
【００５８】
＜無線ＬＡＮアクセスポイントの構成と機能＞
次に、無線ＬＡＮアクセスポイント（ＡＰ）３の構成と機能とについて説明する。図５は、無線ＬＡＮアクセスポイント（ＡＰ）３の構成例を示す機能ブロック図である。図５に示すように、ＡＰ３は、指向性アンテナ制御部３１、ＰＣ交信部３２、アンテナＩＤ取得部３３、ＤＨＣＰサーバ兼情報サービス管理装置交信部３４、複数の指向性アンテナ３５を備える。
【００５９】
指向性アンテナ制御部３１は、ＤＨＣＰサーバ兼情報サービス管理装置交信部３４から転送されたアンテナ制御情報に基づき、複数の指向性アンテナ３５を切り替える。ＰＣ交信部３２は、指向性アンテナ３５を介して、ＰＣ４から受信したＩＰアドレス要求をＤＨＣＰサーバ兼情報サービス管理装置交信部３４に引き渡し、パラメータ要求をアンテナＩＤ取得部３３に引き渡す。また、ＰＣ交信部３２は、ＤＨＣＰサーバ兼情報サービス管理装置交信部３４から受信したＩＰアドレス、動作パラメータ、表示制御情報、表示コンテンツをＰＣ４に引き渡す。アンテナＩＤ取得部３３は、ＰＣ交信部３２から引き渡されたパラメータ要求がどの指向性アンテナ３５で受信したかを特定し、そのアンテナＩＤを取得し、パラメータ要求に含めて、ＤＨＣＰサーバ兼情報サービス管理装置交信部３４に引き渡す。
【００６０】
ＤＨＣＰサーバ兼情報サービス管理装置交信部３４は、ＰＣ交信部３２から受信したＩＰアドレス要求をＤＨＣＰサーバ１に、アンテナＩＤ取得部３３から受信したパラメータ要求を情報サービス管理装置２に引き渡す。また、ＤＨＣＰサーバ兼情報サービス管理装置交信部３４は、ＤＨＣＰサーバ１から受信したＩＰアドレスをＰＣ交信部３２に引き渡す。また、ＤＨＣＰサーバ兼情報サービス管理装置交信部３４は、情報サービス管理装置２から受信した動作パラメータ、表示制御情報、表示コンテンツをＰＣ交信部３２に引き渡す。また、ＤＨＣＰサーバ兼情報サービス管理装置交信部３４は、情報サービス管理装置２から受信したアンテナ制御情報を指向性アンテナ制御部３１に引き渡す。
【００６１】
＜無線ＬＡＮアクセスポイントの指向性アンテナの配置例とその特性＞
図６は、ＡＰ３の指向性アンテナ３５の配置例とその特性を示す図である。図６の例は、車両９の中央に計４本の指向性アンテナ（ＡＩＤ＃１〜ＡＩＤ＃４）を搭載したＡＰ（ＡＰ＃２−１）３が設置されると共に、計４台の不図示の表示端末４０とその制御を行うＰＣ（ＰＣ＃２−１〜ＰＣ＃２−４）４を設置した場合を示している。指向性アンテナの本数と表示端末４０の台数とは同じ数となる。各指向性アンテナの電波の到達範囲は、それぞれ斜線で塗りつぶされた楕円となるようにそれぞれ指向性と設置角度を調整し、特定のＰＣ４にのみ電波が届くように設計している。例えば、ＡＩＤ＃１はＰＣ＃２−１、ＡＩＤ＃２はＰＣ＃２−２、ＡＩＤ＃３はＰＣ＃２−３、ＡＩＤ＃４はＰＣ＃２−４にのみ電波が届くように指向性アンテナの指向性と設置角度を調整する。
【００６２】
＜情報サービス管理装置の構成と機能＞
次に、情報サービス管理装置２の構成と機能について説明する。図７は、情報サービス管理装置２の構成例を示す機能ブロック図である。図７に示すように、情報サービス管理装置２は、電源投入検知部２１、有線ＬＡＮ送受信部２２、動作パラメータ群生成部２３、ＰＣ管理部２４、表示コンテンツ配信制御部２５、表示制御情報配信制御部２６、編成データ更新部２７、アンテナ制御情報生成部２８、及び情報配信センタ交信部２９の各処理部と、編成データ記憶部８１、ＰＣ管理データ記憶部８２、及び配信コンテンツ記憶部８３の各記憶部とを備える。
【００６３】
電源投入検知部２１は、情報サービス管理装置２の電源が投入されたことを検知して、アンテナ制御情報生成部２８と動作パラメータ群生成部２３を起動する。アンテナ制御情報生成部２８は、アンテナ配置パターン定義テーブル８１２からアンテナ配置情報を入手し、その情報に基づきアンテナ制御情報を生成し、各ＰＣ４の指向性アンテナの切替制御をするように有線ＬＡＮ送受信部２２に指示する。
【００６４】
動作パラメータ群生成部２３は、編成データ記憶部８１の編成データテーブル８１１に記憶されている自列車の編成データ、及びアンテナ配置パターン定義テーブル８１２に記憶されているアンテナの配置パターンに基づいて、自列車に設置される各ＰＣ４に配布すべき動作パラメータ群を生成し、ＰＣ管理データ記憶部８２に記憶されるＰＣ管理テーブル８２１の初期設定を行う。編成データテーブル８１１、アンテナ配置パターン定義テーブル８１２、及びＰＣ管理テーブル８２１の詳細は、図１０、図１１、図１２を用いて後記する。
【００６５】
有線ＬＡＮ送受信部２２は、ＡＰ３とＬＡＮ５（図１参照）を介して交信することにより、ＰＣ４とＩＰ通信によって各種データの送受信を行う。なお、情報サービス管理装置２のＩＰアドレスは、予め固定のＩＰアドレスが割り当てられており、各ＡＰ３のＩＰアドレスは、例えば、列車の編成データの一部として、情報配信センタ７０から通知されるものとする。
【００６６】
ＰＣ管理部２４は、有線ＬＡＮ送受信部２２を介して、各ＰＣ４から送信されるパラメータ要求を受信し、受信したパラメータ要求に含まれるアンテナＩＤをＰＣ管理テーブル８２１から検索して取得し、取得した動作パラメータを当該ＰＣ４に返送する。また、受信したパラメータ要求に含まれる当該ＰＣ４のＰＣ識別名、ＭＡＣアドレス、及びＩＰアドレスをＰＣ管理テーブル８２１に格納する。
【００６７】
表示コンテンツ配信制御部２５は、情報配信センタ交信部２９を介して情報配信センタ７０から送信されるニュースや広告などの各種配信コンテンツを受信し、受信した配信コンテンツを配信コンテンツ記憶部８３に格納すると共に、ＰＣ管理部２４に各ＰＣ４への配信コンテンツの配信を依頼する。ＰＣ管理部２４は、表示コンテンツ配信制御部２５から配信を依頼された配信コンテンツを、そのコンテンツの表示を行うすべてのＰＣ４に有線ＬＡＮ送受信部２２を介して送信する。例えば、ニュースの配信を依頼された場合であれば、ニュースを表示するすべてのＰＣ４にそのニュースを送信する。また、配信先が特定された配信コンテンツであれば、該当するＰＣ４だけにそのコンテンツを送信する。
【００６８】
表示制御情報配信制御部２６は、情報配信センタ交信部２９を介して、情報配信センタ７０から送信される自列車の位置などの運行管理データを受信し、ＰＣ管理部２４に各ＰＣ４へ次駅案内などの指示を行う表示制御情報を送信するように依頼する。ＰＣ管理部２４は、表示制御情報配信制御部２６から送信を依頼された表示制御情報を、それに基づいて表示制御を行うすべてのＰＣ４に送信する。
【００６９】
＜乗客向けの情報サービスを提供するための動作＞
続いて、以上説明した各装置が連携して乗客向けの情報サービスを提供するための動作について詳しく説明する。図８は、それぞれの端末計算機（ＰＣ）４がＩＰ通信を行うのに必要となるＩＰアドレスを取得するまでの動作の流れを示すシーケンス図である。図９は、ＩＰアドレスを取得したそれぞれの端末計算機（ＰＣ）４が情報サービス管理装置２から動作パラメータを取得して表示端末４０の表示制御を行う動作の流れを示すシーケンス図である。以下、図８のシーケンス図に沿って、それぞれのＰＣ４がＤＨＣＰサーバ１からＩＰアドレスを取得するまでの動作の詳細を説明し、続いて、図９のシーケンス図に沿って、取得したＩＰアドレスを用いて、情報サービス管理装置２から自身の動作を規定する動作パラメータを取得して表示制御を行う動作について説明する。
【００７０】
まず、電源６が起動され、電源ライン７によって各装置への電力の供給が開始されると、ＰＣ４の電源投入検知部４１が自装置の電源投入を検知して（ステップＳ４１１）、ＭＡＣアドレス取得部４２を起動する。次に、ＭＡＣアドレス取得部４２は、自装置に搭載されている無線ＬＡＮカードからその固有番号であるＭＡＣアドレスを読み込むことによって当該ＭＡＣアドレスを取得する（ステップＳ４１２）。
【００７１】
同じく電源が投入された情報サービス管理装置２は、電源投入検知部２１により、自装置の電源投入を検知して（ステップＳ２１１）、アンテナ制御情報生成部２８を起動する。アンテナ制御情報生成部２８は、各ＡＰ３に対し、送受信アンテナにＡＩＤ＃１（指向性アンテナ）を設定するためにアンテナ制御情報を送信する（ステップＳ２１２）。
【００７２】
ＡＩＤ＃１と接続されるＰＣ４について、ＩＰアドレスと動作パラメータを設定する。設定が完了すれば、同じ要領で、ＡＩＤ＃２、＃３・・・について、ＩＰアドレスと動作パラメータの設定を行い、全てのＰＣ４のＩＰアドレス、動作パラメータの設定を行う。
【００７３】
同じく電源が投入されたＡＰ３は、ＤＨＣＰサーバ兼情報サービス管理装置交信部３４を介して、情報サービス管理装置２から送信されたアンテナ制御情報をもとに送受信アンテナに設定する（ステップＳ３１１）。例えば、アンテナ制御情報がＡＩＤ＃１であれば、送受信アンテナをＡＩＤ＃１に、ＡＩＤ＃２であれば、送受信アンテナをＡＩＤ＃２に、ＡＩＤ＃３であれば、送受信アンテナをＡＩＤ＃３に、ＡＩＤ＃４であれば、送受信アンテナをＡＩＤ＃４にそれぞれ設定する。
【００７４】
送受信アンテナに設定した指向性アンテナを使用し、所定周期で自身のＭＡＣアドレスなどの無線通信を行うために必要な情報を通知するビーコン信号を送信する（ステップＳ３１２）。ＰＣ４の無線ＬＡＮ送受信部４６がこのビーコン信号を検知すると（ステップＳ４１３）、当該ＡＰ３との間の通信リンクを確立するために自身のＭＡＣアドレスや認証情報などを通知するアソシエーション要求を送信する（ステップＳ４１４）。
【００７５】
このアソシエーション要求がＡＰ３の上記指向性アンテナによって受信され、必要なクライアント認証が行われた結果（ステップＳ３１３）、接続が許可されると、ＡＰ３からＰＣ４宛に（ＰＣ４のＭＡＣアドレスを指定して）接続許可を通知すると共に無線通信を行うときの通信パラメータを通知するアソシエーション応答が送信される。このとき、複数のＰＣ４からアソシエーション要求を受信する可能性があるが、最も電波強度の高いＰＣ４以外のアソシエーション要求は破棄するものとする。このアソシエーション応答（Ｒ１３）を受信したＰＣ４の無線ＬＡＮ送受信部４６が、通知された通信パラメータを無線ＬＡＮカードに設定することにより（ステップＳ４１５）、ＰＣ４とＡＰ３との間で無線通信を行うための通信リンク（アソシエーション）が確立し、以後、ＰＣ４はＡＰ３を介して他の装置と通信できるようになる。
【００７６】
ＰＣ４とＡＰ３との間のアソシエーションが確立すると、次に、ＰＣ４のＩＰアドレス取得部４３は、ＩＰアドレスを取得したい旨と自身のＭＡＣアドレスとを通知するブロードキャスト信号であるＤＨＣＰ  ＤＩＳＣＯＶＥＲをＡＰ３に送信する（ステップＳ４１６）。ＡＰ３によって中継されるこのブロードキャスト信号を受信したＤＨＣＰサーバ１は、割り当て可能なＩＰアドレスの候補を１つ選択して（ステップＳ１１１）、ＰＣ４宛に（ＰＣ４のＭＡＣアドレスを指定して）そのＩＰアドレス候補を通知する信号であるＤＨＣＰ  ＯＦＦＥＲを送信する。
【００７７】
ＰＣ４のＩＰアドレス取得部４３は、無線ＬＡＮ送受信部４６を介して受信されるこのＤＨＣＰ  ＯＦＦＥＲによって通知されたＩＰアドレス候補を受け入れ（ステップＳ４１７）、そのＩＰアドレス候補を利用したい旨を通知する信号であるＤＨＣＰ  ＲＥＱＵＥＳＴをＤＨＣＰサーバ１宛に送信する。ＡＰ３によって中継されるこの信号を受信したＤＨＣＰサーバ１は、ＩＰアドレス候補として通知したＩＰアドレスの貸出し処理を行い（ステップＳ１１２）、貸出しが完了した旨を通知する信号であるＤＨＣＰ  ＡＣＫをＰＣ４宛に送信する。この信号を受信したＰＣ４のＩＰアドレス取得部４３は、当該ＩＰアドレスを自装置のＩＰアドレスとして設定し（ステップＳ４１８）、ＩＰアドレスの取得が完了する。
【００７８】
続いて、ＰＣ４が取得したＩＰアドレスを用いて情報サービス管理装置２から自身の動作を規定する動作パラメータを取得して表示制御を行う動作について説明する。以下、図９のシーケンス図に沿って、各装置の動作を詳細に説明する。
【００７９】
ＩＰアドレスの取得が完了すると、動作パラメータ取得部４４は、ＡＰ３に自身の固有情報であるＰＣ識別名を通知するためにパラメータ要求を送信する（ステップＳ４２１）。このとき、無線ＬＡＮ送受信部４６は、ＭＡＣアドレス取得部４２によって取得された自装置のＭＡＣアドレスと、ＩＰアドレス取得部４３によって、取得された自装置のＩＰアドレスとを含んだパラメータ要求のＩＰパケットを生成してＡＰ３に送信する。
【００８０】
ＡＰ３のアンテナＩＤ取得部３３は、ＰＣ交信部３２を介してＩＰパケット化されたパラメータ要求の受信に使用したアンテナを特定し、この特定したアンテナＩＤ（ＡＩＤ＃）を取得し（ステップＳ３２１）、パラメータ要求に当該アンテナＩＤ（ＡＩＤ＃）を付与し、ＤＨＣＰサーバ兼情報サービス管理装置交信部３４を介して、情報サービス管理装置２に送信する（ステップＳ３２２）。
【００８１】
情報サービス管理装置２のＰＣ管理部２４は、有線ＬＡＮ送受信部２２を介してＩＰパケット化されたパラメータ要求を受信すると、編成データテーブル８１１を参照してこのＩＰパケットを送信してきたＡＰ３のＭＡＣアドレスから、当該ＡＰ３及び当該ＰＣ４が設置されている車両の号車番号を特定して、特定した号車番号と通知された位置番号とによって特定される設置位置に該当するＰＣ管理テーブル８２１のレコードにＰＣ４から通知されたＰＣ識別名と受信したＩＰパケットに含まれている当該ＰＣ４のＭＡＣアドレス及びＩＰアドレスとを登録する（ステップＳ２２１）。続いて、ＰＣ管理部２４は、当該レコードに対応して生成済みをＰＣ管理テーブル８２１から取得して、取得した動作パラメータを含む動作パラメータをＰＣ４に送信する（ステップＳ２２２）。
【００８２】
ここで、編成データ記憶部８１に備えられる編成データテーブル８１１とアンテナ配置パターン定義テーブル８１２、ＰＣ管理データ記憶部８２に備えられるＰＣ管理テーブル８２１について、図１０〜図１３を用いて説明する。
【００８３】
図１０は、編成データ記憶部８１に備えられる編成データテーブル８１１の構成及びデータ例である。図１０に示すように、編成データテーブル８１１には、列車を編成しているそれぞれの車両に対応するレコードが号車番号順に登録される。各レコードは、号車番号、ＰＣ数、アクセスポイント属性データ、及び配置パターンを属性にもつ。号車番号とは、列車を編成している車両の連結順に各車両に付される一連番号である。ＰＣ数とは、当該車両に設置されているＰＣの数（＝表示端末４０の数）である。アクセスポイント属性データとは、当該車両に設置されているＡＰ３の属性データであり、ＡＰ３の識別番号、無線通信チャンネル番号、ＭＡＣアドレス、及びＩＰアドレスを含む。配置パターンとは、当該車両への表示端末４０を設置する場所の配置パターンの識別名である。
【００８４】
図１０のデータ例は、１号車にはパターンＡによって、８台のＰＣ４が設置されると共に、識別番号が「ＡＰ＃１」、無線通信チャンネル番号が「１」、ＭＡＣアドレスが「０ｘ−−−ａｂｆ０」、ＩＰアドレスが「１９２．１６８．１．１１」であるＡＰ３が１台設置されており、２号車には、パターンＢによって２４台のＰＣ４が設置され、さらに３号車には、パターンＣによって４台のＰＣ４が設置されていることなどを示している。ここでの配置パターンとは、車両の中でどのように表示端末４０を設置しているかを示し、配置パターンに合わせて、ＡＰ３のアンテナの指向性と向きを調整している。
【００８５】
図１１は、編成データ記憶部８１に備えられるアンテナ配置パターン定義テーブル８１２の構成及びデータ例である。図１１に示すように、アンテナ配置パターン定義テーブル８１２には、車両に表示端末４０を配置するパターンのそれぞれに対応するレコードが登録される。各レコードは、配置パターン、アンテナＩＤ（ＡＩＤ）、ＰＣ設置位置を属性にもつ。
【００８６】
図１１のデータ例は、パターンＡでは、４本のアンテナがあり、ＡＩＤ＃１はＰＣ設置場所がIのＰＣ４と、ＡＩＤ＃２はＰＣ設置場所がIIのＰＣ４と、ＡＩＤ＃３はＰＣ設置場所がIIIのＰＣ４と、ＡＩＤ＃４はＰＣ設置場所がIVのＰＣ４とそれぞれ通信が確立するようにアンテナを配置していることを示す。
【００８７】
図１２は、情報サービス管理装置２のＰＣ管理部２４が情報配信センタ７０から列車の編成データを受信したときにＰＣ管理データ記憶部８２に生成されるＰＣ管理テーブル８２１の初期状態のデータ例である。図１２に示すように、初期状態のＰＣ管理テーブル８２１には、当該列車を編成する各車両に設置されるそれぞれのＰＣ４に対応するレコードが号車番号及びアンテナＩＤ（ＡＩＤ）順に登録される。各レコードは、号車番号、アンテナＩＤ（ＡＩＤ）、及びポインタ値を属性にもつ。
【００８８】
号車番号とは、当該ＰＣ４が設置される車両の号車番号である。アンテナＩＤ（ＡＩＤ）とは、当該ＰＣ４のアンテナを識別する番号であり、アンテナＩＤから当該ＰＣ４に対応付けされた表示端末４０の車両内における設置位置を識別するための番号でもある。
【００８９】
ポインタ値には、当該ＰＣ４に配信すべき動作パラメータのリストのアドレスを示すポインタ値が登録される。ここで、例えばｐ（Ａ，１）なる標記は、前記した配置パターンが「パターンＡ」であるＰＣ４に配信すべき１番目の動作パラメータのリストへのポインタ値を表している。情報配信センタ７０から受信した列車の編成データは、編成データ更新部２７によって編成データテーブル８１１（図１０）に登録されており、ＰＣ管理部２４は、この編成データテーブル８１１とアンテナ配置パターン定義テーブル８１２（図１１）とを参照することによって、各車両の各設置位置に対応するそれぞれのＰＣ４に配布すべき動作パラメータを特定し、特定した動作パラメータのリストへのポインタ値をＰＣ管理テーブル８２１に登録する。
【００９０】
そして、図９のステップＳ２２１では、パラメータ要求を送信してきたＰＣ４の号車番号とアンテナＩＤとに対応するレコードをＰＣ管理テーブル８２１から検索して、当該レコードにそのＰＣ４のＰＣ識別名などを登録し、続くステップＳ２２２では、当該レコードのポインタ値から動作パラメータのリストを取得して、取得した動作パラメータをそのＰＣ４に送信する。
【００９１】
このような動作を、パラメータ要求を送信してきたそれぞれのＰＣ４毎に繰り返し実行することにより、図１３に例示するように、ＰＣ登録後のＰＣ管理テーブル８２１のそれぞれのレコードには、それに対応するＰＣ４のＰＣ識別名、ＭＡＣアドレス、及びＩＰアドレスが追加登録されることになる。
【００９２】
再び図９に戻って説明を続ける。ＰＣ４の動作パラメータ取得部４４は、無線ＬＡＮ送受信部４６を介して動作パラメータを受信すると、受信した動作パラメータを動作パラメータ記憶部４８に格納し、端末表示制御部４５は、動作パラメータ記憶部４８に格納された動作パラメータを参照して自身の動作を制御することによって、表示コンテンツ記憶部４９から必要な表示スケジュールやコンテンツを取得して表示端末４０に表示させる初期表示データを生成する（ステップＳ４２２）。これにより、生成された初期表示画面の表示データＰ１は表示端末４０に送信され、初期表示画面が表示される。
【００９３】
また、必要に応じて、情報配信センタ７０から情報サービス管理装置２に送信される列車の編成データと表示コンテンツや表示スケジュールを含む配信コンテンツとは、表示コンテンツ配信制御部２５によって受信され、配信コンテンツ記憶部８３にデータが保存される。
【００９４】
これとは別に、情報配信センタ７０から情報サービス管理装置２へは、列車の位置情報などの運行管理データが送信され、情報サービス管理装置２の表示制御情報配信制御部２６は、受信した運行管理データに基づいて、例えば次駅案内のテロップを流すように指示する表示制御情報の配信をＰＣ管理部２４に依頼する。依頼を受けたＰＣ管理部２４は、編成データテーブル８１１（図１０）、アンテナ配置パターン定義テーブル８１２（図１１）、ＰＣ管理テーブル８２１（図１３）、動作パラメータのリスト（図１２）などを参照することによって、その表示制御情報を配信すべき対象のＰＣ４を抽出して、抽出したＰＣ４のそれぞれにその表示制御情報を配信する（ステップＳ２２３）。これにより、例えばテロップ表示を行わない表示端末４０に対応するＰＣ４への不要な表示制御情報の配信を抑止する。
【００９５】
この表示制御情報を受信したＰＣ４の端末表示制御部４５は、動作パラメータ記憶部４８に格納されている動作パラメータを参照して自身の動作を制御することによって、受信した表示制御情報に対応した表示データの更新を行い（ステップＳ４２３）、これにより、例えば次駅案内のテロップの表示データＰ２を生成して表示端末４０に送信する。以後同様にして、新たな運行管理データに基づいて、情報サービス管理装置２からＰＣ４への表示制御情報の送信が行われ（ステップＳ２２４）、ＰＣ４が受信した表示制御情報に対応した表示データの更新を行うことで（ステップＳ４２４）、表示データＰ３を生成して表示端末４０に送信する。
【００９６】
また、情報配信センタ７０から送信され、配信コンテンツ記憶部８３に保存された例えば最新のニュースや天気予報などの配信コンテンツは、表示コンテンツ配信制御部２５によって、その情報を必要とするそれぞれのＰＣ４に更新コンテンツとして適宜配信される。この更新コンテンツを受信した各ＰＣ４の表示コンテンツ更新部４７は、受信したコンテンツや表示スケジュールを表示コンテンツ記憶部４９に保存する。
【００９７】
以後、端末表示制御部４５は、表示コンテンツ記憶部４９に保存されている最新の表示スケジュールにしたがって更新されたコンテンツを表示するための表示データ更新を行う。これにより、更新された表示データＰｊを生成して表示端末４０に送信する。
【００９８】
＜本実施形態の効果＞
以上説明したように、本実施形態に係る鉄道車両向け分散型計算機システム１０によれば、各ＰＣ４が動作パラメータ取得部４４と端末表示制御部４５などを有し、ＡＰ３がアンテナＩＤ取得部３３とＤＨＣＰサーバ兼情報サービス管理装置交信部３４などを有し、情報サービス管理装置２が編成データ記憶部８１とＰＣ管理部２４などを有する。
【００９９】
そして、ＡＰ３において、通信範囲を限定したアンテナを用いて、車両内の所定エリアに設置されているＰＣ４と無線通信を確立し、無線通信が確立したアンテナの識別情報とＰＣ４の識別情報との組合せ情報を取得し、取得した組合せ情報と自身の識別情報とを車両内位置情報として情報サービス管理装置２に通知する。
【０１００】
さらに、情報サービス管理装置２において、ＡＰ３から通知される車両内位置情報に含まれるＡＰ３の識別情報からそれぞれのＰＣ４の号車番号を特定し、車両内位置情報に含まれるアンテナの識別情報とＰＣ４の識別情報との組合せ情報から、自身が搭載されている列車を編成している車両の号車番号ごとにＡＰ３の識別情報とアンテナの通信範囲とを記憶した編成データを参照することによって、当該ＰＣ４の車両内の設置位置を特定し、個々の設置位置に対応する動作パラメータを生成し、ＡＰ３を介して、当該ＰＣ４に送信する。
【０１０１】
さらに、ＰＣ４において、自身の端末識別情報をＡＰ３に通知して、自身の動作を規定する動作パラメータを情報サービス管理装置２からＡＰ３を介して取得し、取得した動作パラメータにしたがって動作することによって表示端末４０の表示内容を制御する。
【０１０２】
これにより、車両９内の設置位置を記録した位置識別媒体を設置する必要がなくなる。また、特定の表示端末４０とＡＰ３で無線通信を行うため、スループットが向上する。この結果、位置識別媒体が不要であり、通信のスループットを向上させることができ、かつ、各ＰＣ４にそれぞれの設置位置に応じた表示制御動作を独立して実行させることができる。
【０１０３】
特に、ＡＰ３は、指向性アンテナ制御部３１を有することにより、指向性と設置角度とを調整して、特定の位置に設置されたＰＣ４と無線通信を確立するように設計した複数の指向性アンテナ３５を情報サービス管理装置２から送信されるアンテナ制御情報に基づいて切り替えることができる。
【０１０４】
特に、情報サービス管理装置２は、表示制御情報配信制御部２６を有することにより、ＰＣ４に送信した動作パラメータに基づいて、当該ＰＣ４に対応付けられた表示端末４０に表示される情報を選択して、当該ＰＣ４に配信することができる。
【０１０５】
また、本技術は、無線ＬＡＮ以外にも無線通信可能な通信手段でも実現可能である。
【０１０６】
なお、本発明は、上記した実施形態に限定されるものではなく、様々な変形例が含まれる。例えば、上記した実施形態は、本発明を分かりやすく説明するために詳細に説明したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。また、各実施形態の構成の一部について、他の構成の追加・削除・置換をすることが可能である。 
【０１０７】
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Solid State Drive）等の記録装置、または、ＩＣカード、ＳＤカード、ＤＶＤ等の記録媒体に置くことができる。 
【０１０８】
また、制御線や情報線は、説明上必要と考えられるものを示しており、製品上必ずしも全ての制御線や情報線を示しているとは限らない。実際には、殆ど全ての構成が相互に接続されていると考えてもよい。
【０１０９】
以上、本発明者によってなされた発明を実施形態に基づき具体的に説明したが、本発明は前記実施形態に限定されるものではなく、その要旨を逸脱しない範囲で種々変更可能であることはいうまでもない。
【産業上の利用可能性】
【０１１０】
本発明は、鉄道車両のドア近傍に設けられた複数の表示端末に情報を表示する、鉄道情報サービス提供システムに好適な鉄道車両向け分散型計算機システムに利用可能である。
【符号の説明】
【０１１１】
１  ＤＨＣＰサーバ
２  情報サービス管理装置
３  無線ＬＡＮアクセスポイント
４  端末計算機
５  ＬＡＮ
６  電源
７  電源ライン
９  車両
１０  分散型計算機システム
２１  電源投入検知部
２２  有線ＬＡＮ送受信部
２３  動作パラメータ群生成部
２４  ＰＣ管理部
２５  表示コンテンツ配信制御部
２６  表示制御情報配信制御部
２７  編成データ更新部
２８  アンテナ制御情報生成部
２９  情報配信センタ交信部
３１  指向性アンテナ制御部
３２  ＰＣ交信部
３３  アンテナＩＤ取得部
３４  ＤＨＣＰサーバ兼情報サービス管理装置交信部
３５  指向性アンテナ
４０  表示端末
４１  電源投入検知部
４２  ＭＡＣアドレス取得部
４３  ＩＰアドレス取得部
４４  動作パラメータ取得部
４５  端末表示制御部
４６  無線ＬＡＮ送受信部
４７  表示コンテンツ更新部
４８  動作パラメータ記憶部
４９  表示コンテンツ記憶部
６１ａ，６１ｂ  運行ガイド表示部
６２ａ，６２ｂ  テロップ表示部
６３ａ，６３ｂ  ホーム案内図表示部
６４ａ，６４ｂ  車両位置表示部
６５ａ，６５ｂ  次の停車駅の名前
６６ａ，６６ｂ  自車両の号車番号
６７ａ，６７ｂ  開くドアの方向
７０  情報配信センタ
８１  編成データ記憶部
８１１  編成データテーブル
８１２  アンテナ配置パターン定義テーブル
８２  ＰＣ管理データ記憶部
８２１  ＰＣ管理テーブル
８３  配信コンテンツ記憶部
【図１】
0005519605.tif 000002
【図２】
0005519605.tif 000003
【図３】
0005519605.tif 000004
【図４】
0005519605.tif 000005
【図５】
0005519605.tif 000006
【図６】
0005519605.tif 000007
【図７】
0005519605.tif 000008
【図８】
0005519605.tif 000009
【図９】
0005519605.tif 000010
【図１０】
0005519605.tif 000011
【図１１】
0005519605.tif 000012
【図１２】
0005519605.tif 000013
【図１３】
0005519605.tif 000014